(57)【特許請求の範囲】
【請求項１】
工事現場に設置された受電設備から電力の供給を受ける工事用機器の動作を制御する制御装置であって、
所定の単位電力が消費される毎に前記受電設備から送信される単位消費電力情報を受信する単位消費電力情報受信部と、
受信した前記単位消費電力情報に基づいて、第１時点から第２時点までの予測対象期間の消費電力を予測する消費電力予測部と、
前記消費電力予測部で予測された前記予測対象期間の消費電力が予め定められた判断基準値を越えた場合に、前記工事用機器の消費電力が制御前よりも低くなるように前記工事用機器の動作を制御する機器制御部と、
前記工事用機器の動作を、操作者の手動操作に応じて制御する手動制御部と、を備え、
前記機器制御部は、前記消費電力予測部で予測された前記予測対象期間の消費電力が、前記判断基準値を越えた場合に前記手動制御部による手動操作を無効とし、前記判断基準値を越えない場合に前記手動制御部による手動操作を有効とすることを特徴とする工事用機器の制御装置。
【請求項２】
前記工事用機器は、推進用の油を供給するための油供給源を備えたシールドマシンであり、
前記機器制御部は、前記消費電力予測部で予測された前記予測対象期間の消費電力が前記判断基準値を越えた場合に、前記油供給源の消費電力が制御前よりも低くなるように前記油供給源の出力を抑制することを特徴とする請求項１に記載の工事用機器の制御装置。
【発明の詳細な説明】
【技術分野】
【０００１】
本発明は、工事現場で使用される工事用機器の動作を制御する制御装置に関する。
【背景技術】
【０００２】
高圧受電設備（キュービクル）が設置される工事現場では、この高圧受電設備を介して各種の工事機器（シールドマシン、ボーリングマシン、電動オーガ、地盤改良装置、土壌浄化設備等）へ電力が供給される。高圧受電設備を使用するに際しては、電力会社と契約をする必要があり、契約電力の範囲内で電力を使用することができる。
【０００３】
前述の工事機器は、供給された電力を消費することで動作する電気機器を備えている。例えば、シールドマシンは、シールドジャッキへ油を供給する電動機、油圧モータ、流量制御弁を備えた油供給源やカッターを回転駆動するカッターモータを備えている。また、土壌浄化設備は、液体を加熱するためのヒータを備えている。
【０００４】
これらの油供給源、カッターモータ、ヒータといった電気機器は消費電力が大きいため、無制限に使用してしまうと消費電力が長時間に亘って契約電力を越えてしまう。これにより、配電線に過度な電流が流れてしまうなど、電力設備に負担を掛けてしまう虞がある。また、契約電力を越えてしまうと、より大きな電力に契約が自動的に更新され、基本料金が増額されてしまう。
【０００５】
そこで、契約電力を越えないように、契約電力を越える直前に警報を発生させ、電気機器への電力の供給を一時的に停止させることが考えられる。しかし、電力の供給が急に停止されてしまうと、電動機やモータを動力とする工事機器も動作が停止され、不具合が生じる虞がある。例えば、シールドマシンで油供給源が停止されると推進力がなくなってしまうので、崩壊性の地山の場合には切羽からの土圧を受けることができずにバランスが崩れてしまう虞がある。
【０００６】
また、電動機やモータを急に停止させると、その電動機等に対して大きな機械的ストレスが掛かってしまう。この点でも、契約電力を越える直前に電気機器への電力の供給を急に停止させることは好ましくない。
【０００７】
特許文献１には、作業の効率化や省力化を目的として、シールドマシンの掘進速度に影響を及ぼす要因の状態値を検出器で検出し、検出器の検出結果が上限値を越える場合に、掘進用の油圧駆動源に対して減速の制御を行う装置が記載されている。
【先行技術文献】
【特許文献】
【０００８】
【特許文献１】特開平６−８８４７９号公報
【発明の概要】
【発明が解決しようとする課題】
【０００９】
特許文献１の装置では、検出器の検出結果が上限値を越えたか否かで制御を行っているため、電力の供給が急に遮断されてしまう虞がある。そうすると、切羽からの土圧とのバランスが崩れてしまう虞がある。また、電動機等の電気機器に過度な機械的ストレスを掛けてしまう虞もある。
【００１０】
本発明はこのような事情に鑑みてなされたものであり、その目的は、受電設備の消費電力を早期から予測することにある。
【課題を解決するための手段】
【００１１】
前記目的を達成するため、本発明は、工事現場に設置された受電設備から電力の供給を受ける工事用機器の動作を制御する制御装置であって、所定の単位電力が消費される毎に前記受電設備から送信される単位消費電力情報を受信する単位消費電力情報受信部と、受信した前記単位消費電力情報に基づいて、第１時点から第２時点までの予測対象期間の消費電力を予測する消費電力予測部と、前記消費電力予測部で予測された前記予測対象期間の消費電力が予め定められた判断基準値を越えた場合に、前記工事用機器の消費電力が制御前よりも低くなるように前記工事用機器の動作を制御する機器制御部と、前記工事用機器の動作を、操作者の手動操作に応じて制御する手動制御部と、を備え、前記機器制御部は、前記消費電力予測部で予測された前記予測対象期間の消費電力が、前記判断基準値を越えた場合に前記手動制御部による手動操作を無効とし、前記判断基準値を越えない場合に前記手動制御部による手動操作を有効とすることを特徴とする。
【００１６】
本発明によれば、受電設備側から送信される単位消費電力情報を第１時点の経過後から受信し、受信した単位消費電力情報に基づいて第２時点経過時の消費電力を事前に予測する。このため、受電設備から電力の供給を受けている工事機器に対し、消費電力を抑制するための制御を第２時点の経過前から自動的に開始することができる。その結果、工事機器に対する制御を緩やかに行うことができる。
【００１７】
また、前記工事用機器の動作を、操作者の手動操作に応じて制御する手動制御部を備え、前記機器制御部は、前記消費電力予測部で予測された前記予測対象期間の消費電力が、前記判断基準値を越えた場合に前記手動制御部による手動操作を無効とし、前記判断基準値を越えない場合に前記手動制御部による手動操作を有効とすることにより、消費電力の抑制期間中は、手動制御部による手動操作が無効になるため、消費電力を確実に抑制することができる。
【００１８】
前述の制御装置において、前記工事用機器は、推進用の油を供給するための油供給源を備えたシールドマシンであり、前記機器制御部は、前記消費電力予測部で予測された前記予測対象期間の消費電力が前記判断基準値を越えた場合に、前記油供給源の消費電力が制御前よりも低くなるように前記油供給源の出力を抑制することが好ましい。この構成によれば、シールド工事において、油供給源への制御を緩やかに行うことができる。
【発明の効果】
【００１９】
本発明によれば、受電設備が設置される工事現場において、当該受電設備の消費電力を早期から予測することができる。
【図面の簡単な説明】
【００２０】
【図１】シールドマシンの構成を説明するブロック図である。
【図２】シールドマシンの内部構造を説明するための断面図である。
【図３】制御盤が有する表示部及び入力部の例を説明する図である。
【図４】予測開始時点（第１時点）、予測終了時点（第２時点）、予測対象期間を説明する概念図である。
【図５】受電設備側のパルス検出器から送信されるパルスを説明する図である。
【図６】抑制モードにおける動作例を説明する概念図である。
【図７】段階制御期間における油供給源の制御を説明する概念図である。
【発明を実施するための形態】
【００２１】
以下、本発明の実施の形態について説明する。図１に例示したシールドマシン１は、高圧受電設備２から電力の供給を受けて地盤内を掘進する工事用機器に相当する。
【００２２】
まず、高圧受電設備２について説明する。図１に示す高圧受電設備２は、単位閉鎖型のものでありキュービクルとも呼ばれる。本実施形態の高圧受電設備２は、工事現場に設置されており、送電線３を通じて受電した高圧（６．６ｋＶ）の電気を動力用低圧（２００Ｖ）や電灯用低圧（１００Ｖ）に変圧し、変圧後の電気を配電線４を通じて工事現場の各電力機器に供給する。このため、高圧受電設備２は、配電盤、受電設備、変電設備等を備えており、これらの各部が金属製の箱内に収納されている。
【００２３】
高圧受電設備２は、複合計器５を備えている。この複合計器５は、電力量を計測するものであり、例えば普通電力量計、無効電力量計、及び、最大需要電力計が一体化されている。この複合計器５にはパルス回路５ａが設けられており、高圧受電設備２から所定の単位電力が供給される毎に、言い換えれば接続された負荷が所定の単位電力を消費する毎に、パルス信号が出力される。例えば１ｋＷあたり２０００個又は５００００個のパルス信号が出力される。このパルス信号は、高圧受電設備２に設けられたパルス検出器６によって検出される。
【００２４】
パルス検出器６は、複合計器５からのパルス信号に基づいて生成した単位パルス信号を、信号線７を通じてシールドマシン１へ送信する。単位パルス信号は、複合計器５のパルス信号と同期して出力される。すなわち、複合計器５からパルス信号が出力される毎に、パルス検出器６からも単位パルス信号が送信される。このため、単位パルス信号もまた、高圧受電設備２で単位電力が消費される毎に送信される信号であり、単位消費電力情報に相当する。
【００２５】
シールドマシン１は、入力ユニット１１と、カッターモータ１２と、油供給源１３と、エレクタ装置１４と、スクリューコンベア１５と、ベルトコンベア１６と、制御盤１７とを有している。これらの各部のうち、入力ユニット１１と制御盤１７の組は、消費電力予測装置に相当すると共に、工事用機器の制御装置に相当する。
【００２６】
入力ユニット１１は、パルス検出器６から送信された単位パルス信号を受信する部分であり、単位消費電力情報受信部に相当する。パルス検出器６と入力ユニット１１とは、信号線７を通じて電気的に接続されている。そして、入力ユニット１１で受信された単位パルス信号は制御盤１７に入力され、制御に利用される（後述）。従って、入力ユニット１１と制御盤１７との間も電気的に接続されている。
【００２７】
カッターモータ１２は、図２に示すように、カッター２１を回転させるための駆動源となる部分である。このカッター２１は、シールドマシン１における掘削方向の前端部分に回転可能な状態で取り付けられており、回転によって切羽を切削する。
【００２８】
油供給源１３は、図２に示すシールドジャッキ２２に対する油の供給を制御する装置である。シールドジャッキ２２は、円筒状鋼殻部２３の内周面に沿って多数設けられている。そして、油供給源１３によって油が供給されると、各シールドジャッキ２２は伸長する。ここで、シールドジャッキ２２の後端は、既設のセグメント（図示せず）の前端面に当接されている。このため、各シールドジャッキ２２を伸長させることで、既設のセグメントから反力を得てシールドマシン１は前進する。
【００２９】
そして、各シールドジャッキ２２へ供給される油の流量を増減することで、シールドマシン１の前進速度は増減することができる。また、掘削時において、カッター２１は切羽に当接された状態になっているので、各シールドジャッキ２２へ供給される油の流量を増減することで、カッタートルク、すなわちカッター２１の回転に要する電力を増減することができる。
【００３０】
エレクタ装置１４は、セグメントをリング状に組み立てるための装置であり、図２に示すようにセグメントを把持する把持部２４と、先端に把持部２４が設けられたアーム部２５とを有している。そして、アーム部２５を回転させることにより、把持部２４に把持されたセグメントを、周方向における任意の位置に移動させる。このため、エレクタ装置１４は、アーム部２５を回転駆動させるアーム駆動モータ（図示せず）を有している。
【００３１】
スクリューコンベア１５及びベルトコンベア１６はいずれも、土砂を排出するための排土機構として機能する。図２に示すように、スクリューコンベア１５は、カッター２１の背面に区画されたカッターチャンバー２６の土砂を、後方に排出する装置である。ベルトコンベア１６は、スクリューコンベア１５の後端から排出された土砂を、後方に搬送する装置である。そして、各コンベア１５，１６の動力はモータから得ている。すなわち、スクリューコンベア１５はスクリューモータを有し、ベルトコンベア１６は搬送モータを有している（何れも図示せず）。
【００３２】
次に、制御盤１７について説明する。制御盤１７は、シールドマシン１の制御を行う装置であり、図１に示すように、表示部３１、操作部３２、計時部３３、及び、制御部３４を有している。
【００３３】
表示部３１は、シールドマシン１の運転に必要な各種の情報を表示する部分であり、本実施形態ではタッチパネル式の液晶表示装置によって構成されている。例えば、図３に示すように、表示部３１には、グラフ表示領域３１ａ、上限値表示領域３１ｂ、契約電力表示領域３１ｃ、積算値表示領域３１ｄ、予測値表示領域３１ｅ、及び、操作ボタン表示領域３１ｆが設けられている。
【００３４】
グラフ表示領域３１ａは、規定時間前（例えば１２０秒前）の予測値から最新の予測値までのトレンドをグラフ表示する部分である。上限値表示領域３１ｂは、消費電力の抑制を自動的に行う抑制モードにおいて、制御上の上限値を表示する領域である。契約電力表示領域３１ｃは、契約電力の値を表示する領域である。積算値表示領域３１ｄは、単位パルス信号の積算によって求められた消費電力の積算値を表示する領域である。予測値表示領域３１ｅは、制御部３４が予測した予測消費電力を表示する領域である。操作ボタン表示領域３１ｆは、操作ボタンの画像が表示される領域である。
【００３５】
そして、各表示領域３１ａ〜３１ｅに表示される情報は制御部３４から送られてくる。例えば、グラフ表示領域３１ａや予測値表示領域３１ｅに表示される予測値は、制御部３４による予測処理で求められるものである。上限値表示領域３１ｂに表示される上限値や契約電力表示領域３１ｃに表示される契約電力値は、制御部３４が有する記憶装置（図示せず）に記憶されたものである。積算値表示領域３１ｄに表示される消費電力の積算値は、制御部３４が単位パルス信号をカウントすることによって得られるものである。
【００３６】
操作部３２は、シールドマシン１の運転に必要な各種の操作を行う部分であり、シールドマシン１の動作を操作者の手動操作に応じて制御する手動操作部３２に相当する。この操作部３２には、スイッチ、レバー、タッチパネルといった各種の入力装置が用いられる。図３で説明した液晶表示装置もまた、タッチパネル式であるため操作部３２としても機能する。すなわち、操作ボタン表示領域３１ｆが操作部３２として機能する。
【００３７】
計時部３３は、現在時刻を示す時刻情報を出力する部分である。後述するように、本実施形態では、１時００分、２時００分といった正時と、１時３０分、２時３０分といった正時から３０分経過した時刻のそれぞれで、シールドマシン１による消費電力が上限値（判断基準値）を越えないように機器の動作を制御している。このため、計時部３３からの時刻情報によって、制御部３４に正確な時刻の情報を認識させている。
【００３８】
制御部３４は、シールドマシン１における制御の中心となる部分であり、プログラムやデータを記憶する記憶装置と、プログラムやデータに則って各部の制御を行うＣＰＵとを有している（何れも図示せず）。後述するように、この制御部３４は、計時部３３と共に、予測対象期間の消費電力を予測する消費電力予測部として機能する。また、消費電力の予測値に基づいてシールドマシン１（工事用機器）の動作を制御する機器制御部としても機能する。
【００３９】
以下、制御盤１７による制御、すなわちシールドマシン１における動作について説明する。なお、図４に示すように、本実施形態のシールドマシン１では、毎時００分（正時）と毎時３０分とを規定時刻とし、この規定時刻における消費電力量が予め設定された上限値以下となるように各部の動作を制御している。すなわち、毎時００分と毎時３０分の一方（第１時点）が経過した後、毎時００分と毎時３０分の他方（第２時点）が到来するまでの３０分間（予測対象期間）における消費電力を、第１時点が経過した後から継続的に予測する。
【００４０】
図４の例において、第１時点を時刻ｔａ、第２時点を時刻ｔｂとすると、予測対象期間は期間Ｔ１となる。この場合、時刻ｔａを経過した時点で、時刻ｔｂにおける消費電力（高圧受電設備２が供給する電力）の予測が開始される。この予測は、時刻ｔｂを経過する直前まで行われる。時刻ｔｂを経過すると、第１時点が時刻ｔｂに、第２時点が時刻ｔｃに、予測対象期間が期間Ｔ２にそれぞれ切り替わる。従って、時刻ｔｃにおける消費電力が予測される。以後は、同様にして予測対象となる時刻等が切り換えられる。例えば、時刻ｔｅを経過すると、第１時点が時刻ｔｅに、第２時点が時刻ｔｆに、予測対象期間が期間Ｔ５にそれぞれ切り替わり、時刻ｔｆにおける消費電力が予測される。
【００４１】
従って、制御盤１７の制御部３４は、計時部３３からの時刻情報に基づいて時刻をリアルタイムで認識し、毎時００分と毎時３０分が経過する毎に、第１時点、第２時点、及び、予測対象期間を更新する。
【００４２】
次に、各第２時点における消費電力の予測処理について説明する。前述したように、高圧受電設備２に設けられたパルス検出器６（図１を参照）からは、高圧受電設備２から単位電力が供給される毎に単位パルス信号（単位消費電力情報）が送信される。仮に、１ｋＷの電力に対して２０００個のパルス信号が出力される場合には、１つの単位パルス信号が０．５Ｗの電力に相当する。便宜上、以下の説明において、高圧受電設備２は、０．５Ｗの電力を供給する毎にパルス信号を出力し、パルス検出器６は、パルス信号を検出する毎に単位パルス信号を送信するものとして説明する。
【００４３】
図５は、時刻ｔａ（第１時点）から期間Ｔ１１が経過した時刻ｔａ´（現時点）における時刻ｔｂ（第２時点）での消費電力の予測（予測対象期間Ｔ１での消費電力の予測）を説明する概念図である。この図において、パルス検出器６からはＮ個の単位パルス信号が送信されている。この場合、期間Ｔ１１における高圧受電設備２からの供給電力（＝消費電力）は、０．５Ｗ×Ｎとなる。そうすると、時刻ｔｂにおける消費電力の予測値Ｘは、０．５Ｗ×Ｎ×（Ｔ１／Ｔ１１）となる。仮に、期間Ｔ１１を１５分とし、パルス数Ｎを２００万個とすると、予測値Ｘは、０．５〔Ｗ／個〕×２００００００〔個〕×（３０〔分〕／１５〔分〕）となる。すなわち、予測値Ｘとして２０００ｋＷが得られる。
【００４４】
制御部３４は、この計算を例えば１秒毎に繰り返し行う。このため、予測値Ｘは１秒毎に更新されることになる。この予測値Ｘは、時間の経過と共に変化をする。このように変化する予測値Ｘを、制御盤１７に設けた表示部３１の予測値表示領域３１ｅ（消費電力表示部）で表示することにより、シールドマシン１の操作者に、期間Ｔ１での予測消費電力を容易に認識させることができる。そして、操作者は、予測消費電力に応じてシールドマシン１の掘進速度を調整することにより、シールドマシン１で消費される電力を緩やかに調整することができる。
【００４５】
例えば、操作者は、予測消費電力が高いと判断した場合、シールドジャッキ２２に供給する油の量を抑え、掘進速度を遅くする。これにより、カッター２１が切羽へ当接する押圧力を抑えることができ、油供給源１３で消費される電力を抑制することができる。また、カッタートルクも抑えることができるので、カッターモータ１２で消費される電力も抑制することができる。
【００４６】
掘進速度を上昇させるためにシールドジャッキ２２に供給する油の量を増やす場合、操作者は、表示部３１の予測値表示領域３１ｅに表示される消費電力の予測値Ｘと、契約電力表示領域３１ｃに表示される契約電力とを確認しつつ操作を行う。例えば、予測値Ｘと契約電力とを比較しつつ、油供給源１３の回転数を上昇させる。これにより、予測値Ｘが契約電力を越えない範囲で、掘進速度を上昇させることができる。
【００４７】
以上、操作者のマニュアル操作による消費電力の抑制制御について説明したが、本実施形態のシールドマシン１では、操作部３２で抑制モードを選択することにより、消費電力の抑制を自動的に行うことができる。以下、抑制モードでの動作について説明する。
【００４８】
図６は、抑制モードにおける動作例を説明する概念図である。この図６において、横軸は時刻ｔａから時刻ｔｂ間までの経過時間（すなわち予測対象期間Ｔ１）であり、縦軸は電力である。
【００４９】
縦軸において、３本の仮想線が横軸方向に沿って描かれている。最も上の仮想線は契約電力を示し、上から２番目の仮想線は上側基準値を示し、最も下の仮想線は下側基準値を示す。本実施形態において、契約電力は３０００ｋＷ、上側基準値は２８００ｋＷ、下側基準値は２６００ｋＷである。
【００５０】
上側基準値とは、シールドマシン１が有する電気機器への消費電力の抑制制御を開始するか否かを判断するための判断基準値である。すなわち、消費電力の予測値Ｘが上側基準値を越えた場合に、消費電力の抑制制御が開始される。従って、この上側基準値は、表示部３１の上限値表示領域３１ｂに表示される上限値と同じものである。また、下側基準値とは、消費電力の抑制制御を終了するか否かを判断するための判断基準値である。すなわち、消費電力の予測値Ｘが下側基準値以下になった場合に、消費電力の抑制制御が終了される。
【００５１】
なお、この例では、判断基準値を、開始判断用の上側基準値と終了判断用の下側基準値とに分けて設定したが、開始と終了とで共通の判断基準値を用いてもよい。また、上記の数値はあくまで一例であり、任意に定めることができる。
【００５２】
図６の例において、時刻ｔａ（第１時点）が到来したことを計時部３３からの時刻情報に基づいて認識すると、制御部３４は、時刻ｔｂ（第２時点）における消費電力の予測値Ｘを算出する。予測値Ｘの算出処理は、マニュアル操作による消費電力の抑制制御で説明した通りであるため、ここでは説明を省略する。この算出処理は、繰り返し周期（例えば１秒）毎に繰り返し行われ、その都度予測値Ｘが更新される。図６には、それぞれの経過時間における予測値Ｘが記載されている。
【００５３】
制御部３４は、予測値Ｘを算出する毎に、上側基準値との比較を行う。そして、予測値Ｘが上側基準値を越えたと判断すると、強制的な消費電力の抑制制御を開始する。図６の例では、時刻ｔｘにおいて予測値Ｘが上側基準値を越えている。このため、時刻ｔｘ以降において段階制御期間Ｔｘとなり、制御部３４は機器制御部として機能する。この場合、制御部３４は、シールドマシン１における消費電力が制御前よりも低くなるようにシールドマシン１の動作を制御する。例えば、油供給源１３によるシールドジャッキ２２への油供給量を減らす制御を行う。この制御が開始されると、操作部３２からの油供給源１３に対する制御は無効化される。
【００５４】
すなわち制御部３４は、油供給源１３の出力を抑制制御間隔が経過する毎に、規定量だけ低くする制御を行う。本実施形態では、図７に示すように、抑制制御間隔を１０秒とするとともに規定量を油供給源１３の最大出力の５％とし、段階的に油供給源１３の出力を低下させている。具体的には、時刻ｔｘまでの油供給源１３の出力が、最大出力の６０％であったとすると、第１段階としてその出力を５５％に設定する。
【００５５】
油供給源１３の出力変更後も、制御部３４は、繰り返し周期（１秒）毎に予測値Ｘと上側基準値とを比較する。そして、予測値Ｘが下側基準値以下になるまで油供給源１３の出力を段階的に低下させる。図７の例では、時刻ｔｘから１０秒経過後に出力が５０％に設定され、２０秒経過後に出力が４５％に設定され、３０秒経過後に出力が４０％に設定されている。なお、油供給源１３の出力には下限値が定められており、完全には停止されない。これは、完全に停止させてしまうと、切羽からの土圧に耐えられなくなる虞があるからである。本実施形態では、油供給源１３の出力下限値を５％に設定している。
【００５６】
予測値Ｘが下側基準値以下になると、制御部３４は、消費電力の抑制制御を終了する。図６の例では、時刻ｔｙにおいて予測値Ｘが下側基準値まで低下している。これにより、段階制御期間Ｔｘが終了する。時刻ｔｙ以降において、油供給源１３の強制的な出力低下は行われず、操作部３２からの油供給源１３に対する制御が有効になる。従って、操作者は、操作部３２を通じて、油供給源１３に出力上昇を指示することが可能になる。
【００５７】
なお、図６の例では、時刻ｔｙ以降においても予測値Ｘが下がり続けている。これは、操作者が油供給源１３に対する出力上昇の指示を行わなかったためである。そして、時刻ｔｂにおいて消費電力は、契約電力よりも十分に低い値に抑えられている。その後は、同様にして、時刻ｔｂを第１時点とし、時刻ｔｃ（図４を参照）を第２時点とする予測対象期間Ｔ３の制御が行われる。また、この例では一時的に予測値Ｘが契約電力を上回っているが、あくまで予測値Ｘであるので、実際の使用電力は契約電力を越えることはない。
【００５８】
以上説明したように、本実施形態によれば、高圧受電設備２側から送信される単位パルス信号を（単位消費電力情報）を入力ユニット１１で受信し、受信した単位パルス信号に基づいて、予測対象期間Ｔ１〜Ｔ５の消費電力を制御部３４（消費電力予測部）で予測している。このため、シールドマシン１（工事機器）に対し、消費電力を抑制するための制御を、十分に余裕を持った状態で開始することができる。その結果、シールドマシン１が有する油供給源１３に対する制御を緩やかに行うことでき、シールドマシン１に対する負担を軽減することができる。
【００５９】
また、制御部３４（消費電力予測部）は、受信したパルス信号の数に基づいて消費電力を予測しているので、パルス信号のカウントという簡易な方法で、予測対象期間Ｔ１〜Ｔ５の消費電力を予測することができる。
【００６０】
また、表示部３１（消費電力表示部）が、予測対象期間Ｔ１〜Ｔ５における消費電力の予測値を表示しているので、シールドマシン１の操作者に対して消費電力の予測値を容易に認識させることができる。
【００６１】
また、本実施形態において、制御部３４（機器制御部）は、予測対象期間Ｔ１〜Ｔ５における消費電力の予測値が上側基準値を越えた場合に、シールドマシン１における消費電力が制御前よりも低くなるように油供給源１３の動作を制御しているので、消費電力を抑制するための油供給源１３に対する制御を、自動的に開始することができる。
【００６２】
また、制御部３４（機器制御部）は、段階制御期間Ｔｘの間において、操作部３２（手動制御部３４）による手動操作を無効とし、段階制御期間Ｔｘが経過した後に操作部３２による手動操作を有効としている。このように構成することで、消費電力を確実に抑制することができる。
【００６３】
また、制御部３４（機器制御部）は、予測対象期間Ｔ１〜Ｔ５における消費電力の予測値が上側基準値を越えた場合に、油供給源１３の出力を抑制しているので、油供給源１３への制御を緩やかに行うことができる。
【００６４】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００６５】
予測制御を開始する第１時点と消費電力が予測される第２時点とに関し、本実施形態では毎時００分と３０分に設定したが、第１時点及び第２時点については、任意に定めることができる。同様に、予測対象期間Ｔ１〜Ｔ５についても、任意の長さに定めることができる。
【００６６】
また、高圧受電設備２からの供給電力（負荷の消費電力）を示す単位消費電力情報に関し、上記の実施形態ではパルス検出器６からの単位パルス信号を用いたが、負荷の消費電力を示すものであれば、他の信号や情報を用いてもよい。例えば、負荷の消費電力を数値の情報で受信できる場合には、この数値を用いてもよい。また、複合計器５のパルス回路５ａから出力されるパルス信号を用いてもよい。
【００６７】
工事機器に関し、上記の実施形態ではシールドマシン１を例示し、電力を消費して動作する電気機器として油供給源１３を例示したが、これらに限定されるものではない。例えば、ボーリングマシン、電動オーガ、地盤改良装置、土壌浄化設備等の工事機器であってもよい。また、油供給源１３以外の電気機器（各種モータ，ヒータ）であってもよい。
【符号の説明】
【００６８】
１…シールドマシン，２…高圧受電設備，３…送電線，４…配電線，５…複合計器，５ａ…パルス回路，６…パルス検出器，７…信号線，１１…入力ユニット，１２…カッターモータ，１３…油供給源，１４…エレクタ装置，１５…スクリューコンベア，１６…ベルトコンベア，１７…制御盤，２１…カッター，２２…シールドジャッキ，２３…円筒状鋼殻部，２４…把持部，２５…アーム部，２６…カッターチャンバー，３１…表示部，３１ａ…グラフ表示領域，３１ｂ…上限値表示領域，３１ｃ…契約電力表示領域，３１ｄ…積算値表示領域，３１ｅ…予測値表示領域，３１ｆ…操作ボタン表示領域，３２…操作部，３３…計時部，３４…制御部
【図１】
0005789442.tif 000002
【図２】
0005789442.tif 000003
【図３】
0005789442.tif 000004
【図４】
0005789442.tif 000005
【図５】
0005789442.tif 000006
【図６】
0005789442.tif 000007
【図７】
0005789442.tif 000008